(57)【要約】      （修正有）【課題】電車、バス等の公共交通機関の車内に設置される吊り革において、その主目的である車内に立っている乗客の安全な乗車に役立つ機能を維持するとともに、新たな付加価値を生み出す吊り革を提供する。【解決手段】吊り革１および吊り革を吊り下げるために車内上部に設置される吊り革保持部材２の側面に非接触ＩＣカード読取装置３を装備し、吊り革保持部材の側面には映像放映装置７を装備する。これにより乗客は、非接触ＩＣカード等を当該読取装置にかざすあるいは接触させることにより、当該部材に装備された映像放映装置や中吊り広告、壁面広告で扱われる商品そのもの、商品情報、広告主情報を簡単かつ瞬時に非接触ＩＣカード、非接触ＩＣカード機能付き携帯通信端末等に直接、または間接的に取り込むことができるようになり、乗客は利便性を、広告主は売上や個々人への情報提供が可能になるというメリットを享受できる。【選択図】図１
2009014821.tif 000002
【特許請求の範囲】
【請求項１】
電車、バス等の公共交通機関の車内に設置される吊り革に非接触ＩＣカード読取装置を装備していることを特徴とする吊り革。
【請求項２】
電車、バス等の公共交通機関の車内において、吊り革を吊り下げるために車内上部に設置される吊り革保持部材の側面に非接触ＩＣカード読取装置を装備していることを特徴とする吊り革保持部材。
【請求項３】
電車、バス等の公共交通機関の車内において、吊り革を吊り下げるために車内上部に設置される吊り革保持部材の側面または上部あるいは双方に映像放映装置を装備していることを特徴とする吊り革保持部材。
【請求項４】
主に車内に設置されている映像放映装置や中吊り広告、壁面広告等で取り扱われている各種の商品、店舗の広告に連動した詳細情報、広告とは非連動であるものの広告主からの情報やクーポンに関して、乗客がそれらの商品、情報等の中から吊り革や吊り革保持部材に装備された非接触ＩＣカード読取装置を通じて自身の非接触ＩＣカード、非接触ＩＣカード機能付き携帯通信端末および非接触ＩＣカードに登録してある携帯端末やパソコンに取り込みたい内容を容易に選びだすことを可能とする入力装置を装着していることを特徴とする請求項１、２に記載された吊り革、および吊り革保持部材。
【発明の詳細な説明】
【技術分野】
【０００１】
本発明は、非接触ＩＣカード読取装置を装備した乗客車両内に設置される吊り革、および側面に非接触ＩＣカード読取装置を装備し、側面または上部または双方に映像放映装置を装備している吊り革保持部材に関する。
【背景技術】
【０００２】
従来の吊り革、および吊り革を吊り下げるための吊り革保持部材については、電車・バス等の公共交通機関の車内において、安全性の観点から立っている乗客が体を支える目的のためだけに設置されており、車内に入れば必ず目につく存在であるものの、安全性を担保する付加価値以外の商業的な価値を生み出さず、むしろ車内の乗降口付近に設置されている映像放映装置や中吊り広告等の視界を遮る存在でしかなかった。
【０００３】
吊り革に関わる付加価値について、吊り革を下げるための吊り革保持部材に関する発明等は存在しない。吊り革については、商業的な付加価値を見出すことを目的として、吊り革に広告シールを貼る、吊り革の革部分を従来のものから商品を連想させるものに変更する等の発明等が存在するが、乗降口付近に設置されている映像放映装置や中吊り広告、壁面広告等に比べ、乗客の頭部以外遮るものはないものの、物理的な大きさの制約から乗客に十分な情報を提供することができない等の欠点があるため、結果として十分な付加価値を生み出しているとはいえないものであった。
【０００４】
吊り革に映像放映装置や文字情報装置等を取り付ける発明等があるが、これらの発明では、当該吊り革自体が吊り革を実際に握っている乗客とともに動いてしまうため、握っている乗客以外は当該映像を落ち着いてみることができない、また握っていても握り方によって映像自体が斜めに映ってしまう、あるいは握っている乗客の正面に吊り革が位置しないこともあり、握っている乗客からも見えにくいという欠点がある。また吊り革を誰も握っていない状態であれば、当該吊り革は公共交通機関の動きに合わせて、前後左右に振動してしまうことから、当該吊り革付近の乗客も落ち着いて映像を見ることができないという欠点があった。
【０００５】
一方、従来の映像放映装置は乗降口付近に設置されていたが、車内混雑時には車内を自由に移動することは物理的に不可能であることから、当該装置に映し出された映像は乗降口付近に乗り合わせた一部の乗客にしか見せることができない欠点があった。
【０００６】
車内に居るできるだけ多くの乗客に動画や画像を視認させることを課題として、航空機内で見かける個々の座席前に映像放映装置を設置する方法等もあるが、特別急行等、比較的長距離に使用される車両への応用は可能であるものの、都市部内や近隣地域から都市部への通勤、通学に使用され、立って利用する乗客も多数存在する車両へ、そのまま適用することは困難である。
【０００７】
都市部内や近隣地域から都市部への通勤・通学に使用されることを念頭においた車両において、車内に居るできるだけ多くの乗客に動画や画像を視認させるために、車両の壁面垂直部と天井部との間の面に映像放映装置を配備する発明がある。これは従来の紙製の壁面広告が貼られている位置よりも高い天井近くの側面から天井部にわたって、映像放映装置を配備する形状であるが、なるほど、従来の壁面広告よりも物理的に高い位置になるため、従来の壁面広告より影響は減るものの、まず網棚の位置よりも高いところに当該映像放映装置が位置するため、当該画面を視認しようと乗客は、個々人の身長差等があるものの、大部分は網棚と同等の高さか低い位置から見上げる形で視認することが求められるため、網棚自体および乗客が網棚に載せる鞄等の荷物が障害となってしまい、当該映像放映装置の対面の座席に着席している乗客はもちろんのこと、立っている乗客から全体の映像が見えにくくなる可能性が高い。また、当該映像装置の前に荷物が設置されない場合でも、吊り革を下げるために壁面に平行する形で車内上部に設置された吊り革保持部材および吊り革自体が障害となるため、座っている乗客、立っている乗客双方から当該映像放映装置が見えにくい、という欠点がある。さらに網棚に大きめでかつ頑丈な荷物等を載せる際などに、壁面に荷物が衝突することは現在でも頻繁に発生しているが、このようなことが継続することで、当該映像放映装置を破損してしまう、または傷等がつくことにより画面自体に劣化してしまうことにより、結果として画面が見えづらくなるといった欠点もある。
【０００８】
吊り革保持部材および吊り革による障害を解決するには、吊り革保持部材を移設させる必要があるが、従来の位置よりも上方に移設した場合には、吊り革の革部分が極端に長くなってしまい、電車等の振動により、従来よりも大きく振動することになることから、乗客は当該吊り革につかまっていても常に不安定な状況に陥る上、誰も当該吊り革に捕まっていない場合はさらに大きく振動することから、付近の乗客は握り手部分等が頭部に当る危険性を感じる状態に陥ってしまう。
逆に吊り革保持部材を下方に移設した場合には、吊り革の革部分が十分な長さを保持せず、吊り革の本来の役割を果たさない上、立っている乗客は絶えず自身の頭部を吊り革保持部材にぶつけてしまう危険性を感じる状態に陥ってしまう。また一部の車両においては網棚の下部に大型のディスプレイを配備する場合もあるが、これでは窓の設置が不可能となる、あるいは窓自体を小さくする必要があり、車窓を楽しもうとする乗客に不満を感じさせる結果となってしまう。
【０００９】
またこれまでに記載した考案、発明等を含めた映像放映装置や車内広告、吊り革広告に共通する課題であるが、いずれの広告に関しても視認した乗客がその内容を記憶した上で、売店や関連店舗に行かなければ商品の購入や来店につながらないが、広告主が同業種の場合は広告自体も類似性が高く特定するのが難しい上、多種多様な広告が提供される中において、よほどの印象を与える、あるいは興味をそそるものでなければ、特定のものを記憶し続けることは困難であり、また車内という特殊な環境では紙に書き取ることも難しい状況においては、結果として売店や関連店舗に足を向かわせる動機付けになりにくいという欠点があった。
【００１０】
従来の中吊り広告や壁面広告の中には、上記欠点を少しでも補おうとホームページのアドレスやメールアドレス、ＱＲコードを当該広告に配し、車内にいる乗客にその場から携帯端末を用いて本文、件名のない電子メールを発信してもらい、その電子メールへの返信メールで情報提供を行う、あるいは乗客の携帯端末に装備されたカメラを使用してＱＲコードを読み込んでもらうことで、情報提供を行うことにより、当該商品の購買や来店に導こうとする試みはあるものの、いずれも乗客自身に携帯端末に文字の入力やカメラによる読み込みの作業を行わせることを伴うことから面倒くささを感じさせる、また車内が混んでいた場合には思うようにカメラでの撮影ができない、さらには車内でのカメラを使った撮影で、周囲の乗客の目が気になるために撮影行為に及びにくいなどの欠点があった。
【特許文献１】実開平５−９２０３７
【特許文献２】実願平９−８２４３
【特許文献３】特開平９−９７０２８
【特許文献４】特開平９−３２５７２５
【特許文献５】実願２００１−２０１２（Ｕ２００１−２０１２）
【特許文献６】実願平３−１０３８９３
【特許文献７】特願２００４−２３５１１３（Ｐ２００４−２３５１１３）
【特許文献８】特開２００６−５３３７０（Ｐ２００６−５３３７０Ａ）
【特許文献９】特開２００４−３７７２８（Ｐ２００４−３７７２８Ａ）
【発明の開示】
【発明が解決しようとする課題】
【００１１】
そこで、この発明は、電車、バス等の公共交通機関の車内に設置される吊り革および吊り革を吊り下げるために車内上部に設置される吊り革保持部材が、その主目的である車内に立っている乗客の安全な乗車に役立つ機能を維持するとともに、従来の車内の映像放映装置や中吊り広告、壁面広告が抱える欠点を解決した上で、新たな付加価値を生み出すことを可能にする機能を追加することを課題とする。
【課題を解決するための手段】
【００１２】
以上の課題を解決するために、第一発明は、電車、バス等の公共交通機関の車内に設置される吊り革に非接触ＩＣカード読取装置を装備していることを特徴とする吊り革である。
【００１３】
また第二発明は電車、バス等の公共交通機関の車内において、吊り革を吊り下げるために車内上部に設置される吊り革保持部材の側面に非接触ＩＣカード読取装置を装備していることを特徴とする吊り革保持部材である。
【００１４】
また第三発明は、電車、バス等の公共交通機関の車内において、吊り革を吊り下げるために車内上部に設置される吊り革保持部材の側面または上部あるいは双方に映像放映装置を装備していることを特徴とする吊り革保持部材である。
【００１５】
また第四発明は、主に車内に設置されている映像放映装置や中吊り広告、壁面広告等で取り扱われている各種の商品、店舗の広告に連動した詳細情報、広告とは非連動であるものの広告主からの情報やクーポンに関して、乗客がそれらの商品、情報等の中から吊り革や吊り革保持部材に装備された非接触ＩＣカード読取装置を通じて自身の非接触ＩＣカード、非接触ＩＣカード機能付き携帯通信端末および非接触ＩＣカードに登録してある携帯端末やパソコンに取り込みたい内容を容易に選びだすことを可能とする入力装置を装着していることを特徴とする請求項１、２に記載された吊り革、および吊り革保持部材である。
【発明の効果】
【００１６】
まず第一に、本発明によれば、電車、バス等の公共交通機関の車内に設置される吊り革および吊り革を吊り下げるために車内上部に設置される吊り革保持部材には、新たな装置が装備されることになるが、車内に設置される主目的である車内に立っている乗客の安全な乗車に役立つ機能を維持することは可能である。
【００１７】
第二に、本発明によれば、吊り革保持部材の側面または上部、あるいは双方に、当該部材に吊り下げられた吊り革と同数程度の映像放映装置が装備されるため、通常時、混雑時を含め車内のさまざまな位置にいる乗客がいずれかの映像装置を視認することが可能となる。従来の映像放映装置では乗降口付近の一部の乗客しかその映像を確認することができないという欠点があった。吊り革自体に映像放映装置を取り付けた場合においては、当該吊り革自体が吊り革を実際に握っている乗客とともに動いてしまうため、握っている乗客以外は当該映像を落ち着いてみることができない、また握っていても握り方によって映像自体が斜めに映ってしまう、あるいは握っている乗客の正面に吊り革が位置しないこともあり、握っている乗客からも見えにくいという欠点があった。また吊り革を誰も握っていない状態であれば、当該吊り革は公共交通機関の動きに合わせて、前後左右に振動してしまうことから、当該吊り革付近の乗客も落ち着いて映像を見ることができないという数々の欠点があった。
【００１８】
本発明によれば、前記のとおり吊り革保持部材の側面に、当該部材に吊り下げられた吊り革と同数程度の映像放映装置が装備しているため、乗降口付近以外にいる乗客にも視認できる。また、吊り革保持部材の側面に映像放映装置が固定される形態であることから、公共交通機関の動きに関係なく安定的に吊り革を握る乗客はもちろんのこと、それ以外の乗客からも、視認することが可能となる。
【００１９】
第三に、本発明によれば、映像放映装置は吊り革保持部材の側面または上部、あるいは双方に装備されるため、通常運行時における破損の可能性が低く、映像装置の視認性についても、乗客の頭部以外の障害は存在しないことから、従来の映像放映装置より格段に向上する。車両の壁面垂直部と天井部との間の面に映像放映装置を配備した場合には、まず網棚の上部に当該映像放映装置が位置するため、網棚に乗客が鞄等の荷物を載せる際に当該放映装置に荷物を衝突させてしまう可能性が高く、結果として当該装置を破損する可能性が高いという欠点がある、また荷物によっては、当該映像放映装置の正面に設置されるため、当該映像装置の対面の座席に着席している乗客はもちろんのこと、立っている乗客も荷物が障害となってしまい映像が見えなくなる可能性が高い上、当該映像装置の前に荷物が設置されない場合でも、吊り革を下げるために壁面に平行する形で車内上部に設置された吊り革保持部材および吊り革自体が障害となるため、座っている乗客、立っている乗客双方から当該映像放映装置が見えにくい、という欠点があった。
【００２０】
本発明によれば、いずれの問題も発生しない。前述のとおり、本発明における映像放映装置は、吊り革保持部材の側面または上部、あるいは双方に、当該部材に吊り下げられた吊り革と同数程度の映像放映装置を固定する形態で装備されるため、車内を上部から見た場合、座席の頭上に配備される網棚よりも車内中心側に位置、かつ正面図から見た場合、網棚よりも上方に位置することから、乗客が網棚に載せようとする荷物と接触することは、よほど大きい荷物を載せようとしない限り、物理的に起こりえない。よって、それらの荷物による破損の心配はない。また網棚に置かれた荷物による視認性の低下についても、乗客から見れば、荷物の方が、映像装置よりも後方に視認される位置関係であることから、物理的に発生しない。さらに吊り革保持部材自体に映像放映装置が固定される形状であるから、当たり前のことであるが、吊り革保持部材によって遮られることもない。よって、視認性を確保するために吊り革保持部材を上方、あるいは下方に移設する必要もなく、吊り革本来の役割を十分に果たせなくなる、危険性を感じさせるといった不具合が発生する心配も生じない。
【００２１】
第四に、本発明によれば、乗客は吊り革や吊り革を吊り下げるために車内上部に設置される吊り革保持部材の側面に装備したＩＣカード読取装置に自身の非接触ＩＣカード、非接触ＩＣカード機能付き携帯通信端末をかざすあるいは接触させるだけで、主に車内に設置されている映像放映装置や中吊り広告、壁面広告等で取り扱われている商品、店舗の広告に連動した詳細情報、広告とは非連動であるものの広告主からの情報やクーポン等を、直接自身の非接触ＩＣカード、非接触ＩＣカード機能付き携帯通信端末に取り込むこと、または非接触ＩＣカード機能付き携帯通信端末をかざすあるいは接触させると直ちに商品に関連するＵＲＬが当該端末に表示され、当該ＵＲＬを指定することにより容易に携帯通信端末に当該商品自体、関連情報等を入手すること、あるいは非接触ＩＣカード機能付き携帯通信端末に取り込むことあるいは非接触ＩＣカードに登録してある携帯通信端末やパソコン、または非接触ＩＣカード機能付き携帯通信端末に自動送信される電子メールを通じて容易に携帯端末やパソコン、非接触ＩＣカード機能付き携帯通信端末に取り込むことができるようになる、あるいは乗客が非接触ＩＣカード、非接触ＩＣカード機能付き携帯通信端末をかざすあるいは接触させる時点で当該読取装置を通じて販売可能な商品については、乗客が非接触ＩＣカード、非接触ＩＣカード機能付き携帯通信端末をかざした時点あるいは接触させた時点でで当該読取り装置を通じて電子マネーによる支払いができるようになるため、これまでの吊り革や吊り革を下げるための車内上部に設置される吊り革保持部材の本来の役割だけでなく、公共交通機関の車内を、輸送というサービス以外の生産と消費の場に変える、商品購入への重要な入口の役割を果たす、というこれまでの吊り革や吊り革保持部材には皆無であった付加価値を創造することができる。
【００２２】
これまでの映像放映装置や車内広告、吊り革広告については、多種多様な広告がある等を理由として、視認した乗客が特定のものを記憶し続けることは困難であるため、結果として売店や関連店舗に足を向かわせる動機付けになりにくいという欠点があった。また欠点を少しでも補おうと広告内にホームページのアドレスやメールアドレス、ＱＲコードを配し、車内にいる乗客にその場から携帯端末を用いて本文、件名のない電子メールを発信してもらい、その電子メールへの返信メールで情報提供を行う、あるいは乗客の携帯端末に装備されたカメラを使用してＱＲコードを読み込んでもらうことで、情報提供を行うことにより、当該商品の購買や来店に導こうとする試みはあるものの、いずれも乗客自身に携帯端末に文字の入力やカメラによる読み込みの作業を行わせることを伴うことから面倒くささを感じさせる、また車内が混んでいた場合には思うようにカメラでの撮影ができない、さらには車内でのカメラを使った撮影で、周囲の乗客の目が気になるために撮影行為に及びにくいなどの欠点があった。
【００２３】
本発明によれば、乗客は映像放映装置や中吊り広告、壁面広告を視認した時点で、乗客は興味を持った広告に関して、吊り革や吊り革保持部材の側面に、当該部材に吊り下げられた吊り革の左右にひとつずつ程度、合計で当該部材に吊り下げられた吊り革の倍数程度、装備された入力装置に、当該広告の識別番号を打ちいれた上で、非接触ＩＣカード読取装置に自身の非接触ＩＣカード、非接触ＩＣカード機能付き携帯通信端末をかざすあるいは接触させるだけで、容易に商品そのものや商品や店舗、広告主に関わる情報を入手できるようになることから、乗客は下車するまで、あるいは売店や店舗に足を運ぶまで自身の頭の中に記憶する面倒さ、あるいはメールアドレスを打ち込む行為、カメラで読み込む行為から開放される。またこれまで車内でのカメラを使った撮影で、周囲の乗客の目が気になるために撮影行為に及びにくいと思ったような広告であっても、入力装置で番号等を入れ込むだけであるから、他の乗客には取り込んでいる情報はわからないため、安心して実施することができる。同時に車内広告を実施する広告主にとっては、車内広告からどのように商品購入、来店につなげ、最終的に売上を上げるか、広告の構成や掲載数等に苦心していたところ、本発明により、広告を視認した車内にいる乗客が車内にいる間に商品購入を行う、あるいは商品購入や来店に繋がる個々人への情報提供が可能となることから、従来とは比較にならないくらいの大きなメリットを享受することが可能となる。またバスや電車の運営会社にとっては、広告市場における車内広告の相対的な地位向上が図られるため、間接的に広告収入の増加等の効果が期待できる。
【００２４】
ＩＣカード読取装置を通じて自身の非接触ＩＣカード、非接触ＩＣカード機能付き携帯通信端末をかざすあるいは接触させるだけで、直接かつ容易に取り込むことができる、または非接触ＩＣ機能付き携帯通信端末をかざした時点あるいは接触させた時点でで、当該通信端末の画面上にＵＲＬが表示され、当該ＵＲＬを指定することで入手できる商品としては、劇場や映画の当日券、旅行や公共交通機関の切符、店舗の割引券等が挙げられる。また非接触ＩＣカード機能付き携帯通信端末に直接取り込める商品としては、前述の商品に加え、劇場や映画の前売り券、旅行や公共交通機関の予約、音楽、語学学校の録音した講義、雑誌、新聞の記事や写真、書籍等、デジタルデータ化が容易でかつ紙媒体で商品提供されていたものが挙げられる。またこれらの商品については、代金発生時の支払いについても既存の精算技術を用いて、ＩＣカード読取装置に非接触ＩＣカード、非接触ＩＣカード機能付携帯通信端末をかざすあるいは接触させることにより、電子マネーによる決済対応が可能である。乗客にとっては車内において買い物をする楽しみを享受できることはもちろん、退屈さを感じている際などに瞬時にＩＣカード機能付き携帯通信端末に音楽や語学学校の録音した講義、雑誌等の記事や書籍を取り込むことにより、時間を有効に使えるメリットも享受できる。また気になる広告を見つけても、従来であれば売店等に向かわなければならなかったのだが、車内で購入できることにより、売店へ向かう煩わしさや時間の節約、売店の混雑時の煩わしさ、そして欠品あるいは閉店の心配がない等、公共交通機関を降りた後もメリットを享受することが可能となる。
【００２５】
他方広告を掲載する企業にとっては、車内というまったく新しい市場で商品を販売できるメリットを享受できることはもちろんのこと、開催日の迫った劇場や映画の入場券、出発の迫った交通機関の切符等在庫がきかない商品等について、他の販売方法では販売が困難な状況においても、例えば車内限定の割引を実施することで現金収入を手に入れる可能性を得ることに繋がる。雑誌や書籍等の出版関係においては、携帯通信端末に取り込む乗客が増えることにより、これまで売店等に足が向かなかった乗客に購入させる機会を得ることはもちろん、相対的に携帯通信端末に取り込む乗客が増えれば、駅に設置された売店、あるいは書店での雑誌等の販売数は低減していくことになるため、印刷数を削減できるメリットを享受できる。また同時に、運搬や販売にかかる費用についても削減することができる。入場券や雑誌、書籍等紙媒体の印刷量が削減できれば紙自体の生産量を減らすことにつながり、最終的には森林保護という自然環境の保護にもつながっていくというメリットも挙げられる。また車内という閉鎖的な環境で、かつ限られた時間内での購入に適合する商品開発、例えば通勤時間に読みきれるデジタル小説、通勤時間内に学習できる音声付語学口座や資格口座、雑誌の記事単位の販売等、に本発明が貢献することも考えられる。
【００２６】
非接触ＩＣカードに登録してある携帯通信端末やパソコン、または非接触ＩＣカード機能付き携帯通信端末に自動送信される電子メールを通じて容易に携帯端末やパソコン、非接触ＩＣカード機能付き携帯通信端末に取り込むことができる商品、情報としては前述の商品に加え、デジタル化が不可能な商品、例えば食品、衣料品、住宅、家具、自動車等はもちろんのこと、レストラン、病院、弁護士や司法書士等の各種専門業者の予約等、あらゆる商品が候補として挙げられる。自動送信する電子メールに通信販売のＵＲＬ等を加えることにより、乗客は車内にいながら、広告された食品や衣料品等を簡単に購入することができるようになる。またレストランや病院等からの電子メールには、予約状況等を掲載することにより、乗客は車内にいながら即座に予約等を行えるようになるメリットを享受できる。また商品ではないが、転職支援会社への登録、人材派遣会社が募集するアルバイトの申し込み等についても、この形態を利用することで、電話連絡等の煩わしい作業を行うことなく簡単に実施することが可能となる。
【００２７】
他方企業にとっては、中吊り広告等においては、これまでは駅売店等で取り扱う商品等の広告が中心であり、そういった商品を取り扱っていない企業については、当該広告を売上に結びつけることが難しい状況であったが、今後は駅売店等では物理的に取り扱いが難しい家具や衣料品等の商品についても販売機会を容易に得ることができるようになる。また病院等については、受付職員等がいない時間であっても、予約を受け付けることができる等のメリットを享受できる。さらに重要なことは、一度興味を持ってもらった乗客に対して、継続的な情報提供が可能になることにより、当該乗客を安定的な購入客に育てあげることが可能となるメリットを享受できることである。
【００２８】
本発明により、車内における映像放映装置に放映される広告、中吊り広告、壁面広告等については、多くの企業にとって車内にいる乗客を新たな消費者、あるいは安定的な購入客に育て上げるきっかけを提供できる可能性を秘めていることから、当然のことながらこれらの広告については広告市場における市場価値が相対的に上がっていくこととなり、広告掲載料金の向上を通じて公共交通機関の運営会社にとっても収益上のメリットが拡大することにつながる。特に、紙媒体の代わりに電子ペーパー技術、ＷｉＭＡＸ等、次世代高速通信技術が確立されれば、それらの技術を応用することで、人的な張替え作業等を行うことなく公共交通機関が走る曜日、時間帯、あるいは車内にいる客層等に合わせた広告をきめ細かく提供できるようになれば、より本発明の有益性が証明されることになると考える。
【００２９】
前述の内容については、一例に過ぎないが、本発明により公共交通機関の車内に設置される吊り革および吊り革を吊り下げるために車内上部に設置される吊り革保持部材が、その主目的である車内に立っている乗客の安全な乗車に役立ち機能を維持するとともに、乗客、広告主、公共交通機関の運営会社の三者がそれぞれメリットを享受できる、付加価値を生み出すことが可能になるといえる。
【００３０】
ＩＣカード読取装置の設置数については、車内という物理的な制約、あるいは予算上の問題から制限がかかる可能性はあるものの、従来の映像放映装置と同様に、乗降口付近だけに設置した場合では、乗降口付近にいる一部の乗客しか利用することができない、車内で過ごす時間は個々の乗客により様々であるものの、限られた降車するまでの時間内に他の乗客が連続して利用していたあるいは利用意向を持った複数の乗客が順番待ちの列をなしていたために、乗降口付近にいて、利用意向を持ったものの降車まで利用できない、あるいは車内の乗車率が非常に高いため、車内を移動することもできないために物理的に利用が不可能といった様々な状況も考えられ、結果として効果は限定的になってしまうことが容易に想像つく。前述の効果を十分に享受するには、車内に設置される全吊り革、吊り革を吊り下げるために車内上部に設置される吊り革保持部材の側面には、当該吊り革保持部材に吊り下げられる個々の吊り革を中心として、その左右にＩＣカード読取装置を装備する形状がもっとも効率的である。この形状を採用することで、空いている車内はもちろん混雑時の車内においても、乗客が車内に設置された映像放映装置や中吊り広告、壁面広告を視認して興味を持った場合には、吊り革を握っている乗客は自身が握っている吊り革に装備されたＩＣカード読取装置を、座席に着座している乗客はもちろん吊り革を握れずに立っている乗客については、吊り革保持部材の側面に設置されたＩＣカード読取装置を同時に利用することが可能となる。また、現在はＩＣカードの発行会社によって利害上の関係から異なる企画を採用しているため、ももっぱら各々のカードにのみ対応している読取装置が設置されているが、本発明によって、車内でのＩＣカード読取装置を通じての市場が拡大していくことになれば、読取装置の共通企画化に対する利用者、企業双方からの要望は強まっていくことが想像され、結果として共通企画化を早める効果も期待される。
【００３１】
さらに、これまではＩＣカード読取装置を至近距離で配置している状態は、鉄道の自動発券機や駅等に設置される複数の飲料の自動販売機等に極めて限定的な範囲に限られていたが、吊り革や吊り革を吊り下げる吊り革保持部材という至近距離にＩＣカード読取装置を装備するという形態が実施され、前述のような商業的な効果が認知されるようになれば、この形態を応用する形で、例えば病院での会計窓口など単純な精算窓口の代替はもちろん、シネマコンプレックスの販売窓口、場外馬券場の窓口、宝くじの販売窓口、劇や音楽コンサートの入場券販売窓口、スポーツの観戦券の販売窓口等、扱う商品の種類が豊富であるため、購入者により求める商品がそれぞれに異なるものの、主に商品が紙で提供され、同時に可能な限り多くの人間に対応することが求められかつこれまでは人員を配置して対応していた精算や販売作業等を、複数のＩＣカード読取装置と選択するための入力装置の組み合わせが代替していくことが期待できる。前述の分野で代替が進めば、企業にとっては、印刷費はもちろん人件費の大幅な節約が可能となり、利用者にとっては購入する際に口頭で伝達する必要はなくなる上、紙であるが故に多く発生した紛失の心配も低減させることができる。
【発明を実施するための最良の形態】
【００３２】
この発明の一実施形態を、図１〜図８に示す。
まず従来は断面が円の金属パイプ状の形状である、電車、バス等の公共交通機関の車内において、吊り革を吊り下げるために車内上部に設置される吊り革保持部材２については、材質、中が空洞であることは同様であるものの、非接触ＩＣカード読取装置３、および映像放映装置７、ならびに乗客が選択することを目的として入力を可能とするキー入力装置８を装備できるよう側面が平面状の形態の金属パイプを使用する。ただし非接触ＩＣカード読取装置３が、金属と密接することで、正常に機能しない状況が起こりうる場合には、別途、吊り革保持部材２の周りに、電波吸収シート等を巻く、あるいは金属の代わりに炭素素材等、金属並みの耐性を保持する素材での製造を行う、または同様に付近に金属が材料として使用されているものの正常にＩＣカード読取装置が機能している鉄道等の自動改札機の技術、バスの改札機の技術を応用する等、ＩＣカード読取装置が非接触ＩＣカード、非接触ＩＣカード機能付き携帯通信端末を正確に認識できる工夫が必要となる。装置を取り付ける側面は平面状であるものの、上部については従来の吊り革保持部材と同様、丸みを帯びさせた形状にする。吊り革固定部材１１を一定の間隔を保ちながら吊り革保持部材２に取り付け、吊り革保持部材２と吊り革固定部材１１の間に革１０を通し、持ち手９を通して一周させた革１０を止め具で固定することにより、持ち手９を持つ吊り革１を吊り下げることが可能となる。以上の形態により、吊り革保持部材２に新たな装置を装備するものの、吊り革および吊り革保持部材の主目的である車内に立っている乗客の安全な乗車に役立つ機能を維持することが可能となる。
【００３３】
続いて吊り革保持部材２の側面に映像放映装置７、非接触ＩＣカード読取装置３、キー入力装置８を取り付ける。映像放映装置には液晶ディスプレイ、ＥＬディスプレイ、電子ペーパー等の平面薄型ディスプレイを用いる。映像放映装置７については、吊り革保持部材２の下方より乗客が視認することを考慮し、下方からより見やすくするよう、ディスプレイ自体が視線を送る乗客から正面に見えるような傾斜をつけて装備する。同様に下方から非接触ＩＣカード、非接触ＩＣカード機能付き携帯通信端末をかざすあるいは接触させることになるため、非接触ＩＣカード読取装置３についても下方からかざしやすい傾斜をつけて装着することとする。また下方から指で入力しやすい角度をつけて、キー入力装置８についても下方から入力しやすい傾斜をつけて装備することとする。
【００３４】
吊り革保持部材２に装着した映像放映装置７、非接触ＩＣカード読取装置３、キー入力装置８はそれぞれ動作するために電源を必要とするが、当該電源の取得方法については複数の方式が考えられる。一つは、各々の装置内に充電が可能なリチウムイオンバッテリーを装着する方法が考えられる。近年のリチウムイオンバッテリーは一度充電を完了すれば、長時間の装置の稼動を可能とするだけの電力量を確保できるため、当該バッテリーを各々の装置に内蔵させることにより、十分に機能させることが可能となる。また耐用時間についても、近年の平面ディスプレイ等の消費電力は格段に省エネ化が進んでいることもあり、リチウムイオンバッテリーの性能向上と合わせれば、十分、車両の1日の運行時間内を通して、各々の装置に電力を供給することは可能と考える。ただし、リチウムイオンバッテリーの充電機を内蔵していない場合は当然、蓄電分を使いきりが発生し、新たに稼動させるためには作業員を用いての電池の入れ替え作業が発生することとなる。車体自体が小さいことから各々の装置の装備数が少なくなり、車体に搭載された電力装置の容量が小さいバスにはこの方法による電力供給での対応が可能と考える。二つ目は各々の装置に、リチウムイオンバッテリーとその充電機を内蔵し、車体の電力装置より、当該充電機に電力を供給し、リチウムイオンバッテリーを介して、電力を確保する方法である。そして三つ目は、電力装置の容量が大きいバス、および電力を動力源として走る電車に関して投入できる方法としては、車体の電力装置から直接、各々の装置に電力を供給する方法が挙げられる。本方法はすでに車両の乗降口付近に設置された映像放映装置に電力を供給する形で実用化しているため、本発明への応用も容易である。ただし、乗降口付近の壁面に設置された映像放映装置については壁面内を配線することで容易に電力供給が可能であるが、吊り革保持部材は車内上部の空間に存在することもあり、配線上の問題が残る。これを解決する具体的な方法としては、車体に設置された電力装置から、内部が空洞となっている吊り革保持部材２の内部に天井と吊り革保持部材２の接点から配線を通して、当該吊り革保持部材に装備されるすべての映像放映装置７、非接触ＩＣカード読取装置３、キー入力装置８と接続することである。配線は吊り革保持部材内を通しているため、乗客から触れない形状を保てることから、人的な断線等を心配はなく、既存の車両の乗降口付近に設置された映像放映装置同様に、確実は動作環境を確保することが可能である。装置数が多数に及ぶため、配線自体の束が太くなってしまい吊り革保持部材の内部を通すことができないことが懸念として浮かびあがるが、前述したとおり、本発明における吊り革保持部材は側面に映像放映装置を装備するために平面状となっていることから、従来の断面が円の金属パイプの吊り革保持部材よりも、内部の容積が大きいため配線の束が太くなっても通すことに支障はない。
【００３５】
一方、吊り革１に装備する非接触ＩＣカード読取装置３およびキー入力装置８への電力供給についてであるが、吊り革保持部材同様3通りの方法を利用することが可能である。場合によっては、吊り革保持部材と異なる方法での方法、具体的には吊り革１に装備する非接触ＩＣカード読取装置３およびキー入力装置８には配線の配置方法に工夫が必要なことからリチウムイオンバッテリーを内蔵するが、吊り革保持部材には、車体に設置された電力装置から直接供給する方法にするなどが考えられる。充電機を内蔵する、車体の電力装置から直接供給する場合は、吊り革１の革１０と革１０の間に配線を通すことで対応することとなる。この場合、配線がむき出しになることを防ぐため、非接触ＩＣカード読取装置３の上部にプラスチックカバーを装備することとなる。また吊り革の革に使用する材質は非常に頑丈であることから配線自体を細いものとすれば、革１０内部に予め配線を通す穴を開けておく、あるいは革１０を製造する段階で、配線を組み込む形で固形化することで、配線を通すことも可能である。なお、この場合は、革１０と吊り革保持部材２が接触する部分において、革１０に内蔵された配線と車体の電力装置から繋がる配線とを結合させるために、いずれかの配線の先端部分を凸形、他方の先端部分を凹形にする工夫が必要となる。
【００３６】
乗客が非接触ＩＣカード、非接触ＩＣカード機能付き携帯通信端末を吊り革および吊り革保持部材に設置された非接触ＩＣカード読取装置３にかざすあるいは接触させることにより、商品あるいは情報等を入手する方法についても複数の方法が考えられる。一つ目は、非接触ＩＣカードには対応できない、電子マネーを通じての決済には対応できないものの、特別な設備等も必要とせず、最も安価な導入が可能となる方法である。具体的には非接触ＩＣカード機能付き携帯通信端末を非接触Ｉ
Ｃカード読取装置３にかざした時点あるいは接触させた時点でで、非接触ＩＣカード機能付き携帯通信端末のＷｅｂブラウザを非接触ＩＣカード読取装置３から起動させる方法である。この方式により乗客は、自身の非接触ＩＣカード機能付き携帯通信端末の画面内に表示されたＵＲＬを指定することにより、商品やクーポン等を入手することができる。決済処理を行えないが、ネットワークに接続する通信機能を保持する必要がないため、非接触ＩＣカード読取装置３には指定のＷｅｂブラウザを起動させるという情報を組み込んだ記憶媒体を内蔵すれば対応可能となる。この方法においては、キー入力装置８を必ずしも必要とせず、起動させるＷｅｂブラウザ内には車内で提供される広告に関連する情報を一覧できるようにすることで、乗客はその一覧の中から自身の興味を持った広告に改めて接続する、という仕組みとなる。ただし、広告収入の極大化を念頭において、Ｗｅｂブラウザ内に表記される広告が多数となってしまった、あるいは同業種企業の広告が多数となってしまった場合、乗客にとっては興味を持った広告を探す手間が発生してしまう上、間違ったＵＲＬを指定してしまう可能性も否定できず、せっかくの機能が乗客の不満を煽る可能性も否定できない状況も懸念されることから、やはりキー入力装置８による選択を可能とすることが望ましい。舞台的には、キー入力装置８と非接触ＩＣカード読取装置３の間にネットワークを張り、キー入力装置８に入力した情報に基づき、乗客の非接触ＩＣカード機能付き携帯通信端末をかざした時点あるいは接触させた時点でで乗客の当該端末の画面には入力した情報に合わせたＷｅｂブラウザを起動させる仕組みとする。
これにより、乗客は迷うことなく興味を持った情報を入手することが可能となる。キー入力装置８に入力する識別番号については、中吊り広告、壁面広告１３、映像放映装置７で放映される広告にそれぞれ容易に視認、かつ記憶できる番号を振り、それを入力する形が考えられる。既存の壁面広告や中吊り広告には、作業員が瞬時に張り替える広告を識別できるよう番号割り振りがなされているが、その番号をそのまま利用することもできる。
【００３７】
すでに既存の映像放映装置に電車やバスの最新の運行情報等を放映するために、ネットワークを設定している路線、あるいは車内無線ＬＡＮシステムを実用化している路線においては、当該ネットワークシステムを利用する方法が二つ目として挙げられる。具体的には、車体に設置されたサーバーの分配器にすべての非接触ＩＣカード読取装置３をケーブルで接続することにより対応する。ケーブルについては、吊り革保持部材２については、電源確保の配線と同様、内部の空洞を通すことで対応する。吊り革においても革１０の内側あるいは革１０の内部に電源確保の配線と同様にケーブルを配置することにより対応する。また映像放映装置７にて提供する情報についてもサーバー内に蓄積された情報を各映像放映装置７に転送することにより対応する。サーバーに接続された通信装置からアンテナを通じて社外にある基地局とあるいは公共通信網と接続することによりネットワークが確保できるため、決済等についても対応可能となる。ただし、既存の搭載されたサーバーによっては容量不足が考えられるため、換装等の対応が必要となる。サーバーの容量の大型化、および次世代高速通信網の整備、さらに壁面広告、中吊り広告等、紙製の広告の電子ペーパー化が進めば、映像放映装置７で配信する映像および電子ペーパー上に映し出される静止画についても、曜日、時間、およびそれに伴う利用者の客層の変化等に柔軟に対応した映像を放映することが可能となる。乗客は自身が興味を持った広告の番号を記憶し、非接触ＩＣカード読取装置３とケーブルで連動しているキー入力装置８に当該番号を入力した上で、商品購入ボタンあるいは情報提供ボタンを押印し、自身の非接触ＩＣカード、非接触ＩＣカード機能付き携帯を非接触ＩＣカード読取装置３にかざすあるいは接触させることにより、簡単かつ瞬時に商品購入、または商品に関わる詳細の情報入手、または直後にメールを受信することで、商品購入、商品に関わる詳細な情報を入手することができる。
【００３８】
いずれの方式を採用した場合においても、考慮すべきことであるが、装備するＩＣカード読取装置３によっては複数の読取装置の間隔が近すぎて、読取装置間で相互干渉を起こしてしまう場合が起こることも考えられる。この場合は、本発明が想定する装備数よりも実際に装備する読取装置を減らし、間隔を広げることにより対応すればよい。
【図面の簡単な説明】
【００３９】
【図１】この発明のＩＣカード読取装置、キー入力装置を装備した吊り革、ＩＣカード読取装置、キー入力装置、映像放映装置を側面に装備した吊り革を吊り下げるために車内上部に設置される吊り革保持部材の正面図である。
【図２】この発明のＩＣカード読取装置、キー入力装置を装備した吊り革、ＩＣカード読取装置、キー入力装置、映像放映装置を側面に装備した吊り革を吊り下げるために車内上部に設置される吊り革保持部材の背面図である。
【図３】この発明のＩＣカード読取装置、キー入力装置を装備した吊り革、ＩＣカード読取装置、キー入力装置、映像放映装置を側面に装備した吊り革を吊り下げるために車内上部に設置される吊り革保持部材の右側面図である。
【図４】この発明のＩＣカード読取装置、キー入力装置を装備した吊り革、ＩＣカード読取装置、キー入力装置、映像放映装置を側面に装備した吊り革を吊り下げるために車内上部に設置される吊り革保持部材の左側面図である。
【図５】この発明のＩＣカード読取装置、キー入力装置を装備した吊り革、ＩＣカード読取装置、キー入力装置、映像放映装置を側面に装備した吊り革を吊り下げるために車内上部に設置される吊り革保持部材の平面図である。
【図６】この発明のＩＣカード読取装置、キー入力装置を装備した吊り革、ＩＣカード読取装置、キー入力装置、映像放映装置を側面に装備した吊り革を吊り下げるために車内上部に設置される吊り革保持部材の底面図である。
【図７】この発明のＩＣカード読取装置、キー入力装置を装備した吊り革、ＩＣカード読取装置、キー入力装置、映像放映装置を側面に装備した吊り革を吊り下げるために車内上部に設置される吊り革保持部材と網棚等との位置関係を示す車内の断面図である。
【図８】この発明のＩＣカード読取装置、キー入力装置を装備した吊り革、ＩＣカード読取装置、キー入力装置、映像放映装置を側面に装備した吊り革を吊り下げるために車内上部に設置される吊り革保持部材と網棚等との位置関係を示す車内の参考図である。
【符号の説明】
【００４０】
１  吊り革        ２  吊り革保持部材          ３  ＩＣカード読取装置            ４  カード読取部分        ５  購入選択ボタン        ６  情報取得ボタン    
７  映像放映装置          ８  キー入力装置          ９持ち手
１０  革部分            １１  吊り革固定部材      １２  座席
１３  壁面広告          １４  網棚                １５  荷物
１６  手すり            １７  車窓                １８識別番号
【図１】
2009014821.tif 000003
【図２】
2009014821.tif 000004
【図３】
2009014821.tif 000005
【図４】
2009014821.tif 000006
【図５】
2009014821.tif 000007
【図６】
2009014821.tif 000008
【図７】
2009014821.tif 000009
【図８】
2009014821.tif 000010